(57)【要約】【課題】ユーザを待たせることなく、文書を出力する際のセキュリティを向上させる。【解決手段】画像形成装置４において、ＩＤカード３ａ，３ｂ，３ｃ，・・・から発信されたＩＤ情報が受信されたか否かを判断する。そして、受信されたＩＤ情報と記録データに付加されているＩＤ情報とが一致するか否かを判断し、一致する場合には、該当するＩＤ情報が付加された記録データを専用トレイに出力する。出力中のジョブがある場合には、出力中のジョブが終了した後に、記録データを出力する。または、出力中のジョブを中断して、記録データを出力する。【選択図】図１
2005322182.tif 000002
【特許請求の範囲】
【請求項１】
複数のネットワーク端末と、前記複数のネットワーク端末から送信された画像形成指示に基づいて画像形成を行う画像形成装置と、がネットワークを介して接続された画像出力システムにおいて、
自らのＩＤ情報を無線で発信する発信装置を備え、
前記画像形成装置は、前記複数のネットワーク端末から前記ＩＤ情報に対応するＩＤ情報が付加されている記録データを含む記録データを受信する受信手段と、前記記録データを記憶する記憶手段と、前記発信装置からＩＤ情報を無線で受信する無線受信手段と、前記記録データに付加されたＩＤ情報と前記発信装置から受信したＩＤ情報とが一致した場合に、当該ＩＤ情報が付加された記録データを出力するよう制御する制御手段と、を備えることを特徴とする画像出力システム。
【請求項２】
前記受信手段が前記複数のネットワーク端末からＩＤ情報が付加されていない記録データを受信した場合、前記制御手段は、前記ＩＤ情報が付加されていない記録データを順次出力するよう制御することを特徴とする請求項１に記載の画像出力システム。
【請求項３】
前記無線受信手段が複数のＩＤ情報を受信した場合、前記制御手段は、前記ＩＤ情報が付加された記録データの出力を停止し、停止したことを表示手段に表示するよう制御することを特徴とする請求項１又は２に記載の画像出力システム。
【請求項４】
前記記録データに付加されたＩＤ情報と前記発信装置から受信したＩＤ情報とが一致した場合に、出力中のジョブがある場合には、前記制御手段は、当該ジョブの出力終了後に、前記ＩＤ情報が付加された記録データを出力するよう制御することを特徴とする請求項１〜３のいずれか一項に記載の画像出力システム。
【請求項５】
前記記録データに付加されたＩＤ情報と前記発信装置から受信したＩＤ情報とが一致した場合に、出力中のジョブがある場合には、前記制御手段は、当該ジョブの出力を中断し、前記ＩＤ情報が付加された記録データを出力し、前記ＩＤ情報が付加された記録データの出力終了後、前記中断していたジョブの出力を再開するよう制御することを特徴とする請求項１〜３のいずれか一項に記載の画像出力システム。
【請求項６】
前記画像形成装置は、複数の排紙トレイを備え、前記制御手段は、前記ＩＤ情報が付加された記録データを出力した記録紙を、前記ＩＤ情報が付加された記録データ専用の排紙トレイに排出するよう制御することを特徴とする請求項１〜５のいずれか一項に記載の画像出力システム。
【請求項７】
前記発信装置は、ＩＤ情報発信指示を入力するためのＩＤ情報発信指示入力手段を備え、前記ＩＤ情報発信指示の入力に応じてＩＤ情報を発信することを特徴とする請求項１〜６のいずれか一項に記載の画像出力システム。
【請求項８】
前記ＩＤ情報発信指示入力手段は、人体から生体情報を読み取る生体情報読取手段であり、当該生体情報に基づいて、本人であることが確認された場合に、ＩＤ情報を発信することを特徴とする請求項７に記載の画像出力システム。
【請求項９】
前記生体情報は、指紋であることを特徴とする請求項８に記載の画像出力システム。
【請求項１０】
前記発信装置は、ＩＤ情報の発信状態を示す情報を通知する発信状態通知手段を備えることを特徴とする請求項１〜９のいずれか一項に記載の画像出力システム。
【請求項１１】
前記発信状態通知手段は、前記ＩＤ情報の発信状態を示す情報を表示する発信状態表示手段であることを特徴とする請求項１０に記載の画像出力システム。
【請求項１２】
前記発信状態通知手段は、前記ＩＤ情報の発信状態を示す情報を音声により通知する音声発生手段であることを特徴とする請求項１０に記載の画像出力システム。
【請求項１３】
前記画像形成装置は、ＩＤ情報が付加された記録データの出力状態を示す情報を無線で発信する無線発信手段を備え、
前記発信装置は、前記画像形成装置から発信されたＩＤ情報が付加された記録データの出力状態を示す情報を受信する出力状態無線受信手段と、前記受信されたＩＤ情報が付加された記録データの出力状態を示す情報を通知する出力状態通知手段と、を備えることを特徴とする請求項１〜１２のいずれか一項に記載の画像出力システム。
【請求項１４】
前記出力状態通知手段は、前記ＩＤ情報が付加された記録データの出力状態を示す情報を表示する出力状態表示手段であることを特徴とする請求項１３に記載の画像出力システム。
【請求項１５】
前記出力状態表示手段は、ＩＤ情報が付加された複数の記録データの出力状態を示す情報を表示することを特徴とする請求項１４に記載の画像出力システム。
【請求項１６】
前記出力状態通知手段は、前記ＩＤ情報が付加された記録データの出力状態を示す情報を音声により通知する音声発生手段であることを特徴とする請求項１３に記載の画像出力システム。
【発明の詳細な説明】
【技術分野】
【０００１】
本発明は、画像出力システムに関し、特に、出力文書のセキュリティ向上を目的とした画像出力システムに関する。
【背景技術】
【０００２】
一般に、複数のＰＣ（Personal Computer：パーソナルコンピュータ）と、プリンタやプリンタ機能付き複写機（ＭＦＰ：Multi-Function Printer）等のネットワーク画像形成装置（以下、単に画像形成装置という。）とがＬＡＮ（Local Area Network）により接続され、複数のユーザが１台又は数台の画像形成装置を共用するようにしたシステムが構築されている。このようなシステムでは、複数のユーザが１台の画像形成装置を使用するため、重要な書類をプリント出力する場合、ＰＣから画像形成装置へ印字指示を送信した後、画像形成装置の設置場所に行くまでの間に文書が出力され、他人の目に触れたり、他人の文書と混じってしまったりするおそれがある。
【０００３】
そこで、画像形成装置が指紋情報採取手段を備え、採取された指紋情報によりユーザを特定した後に文書を出力する指認証によるネットワーク管理システムが提案されている（例えば、特許文献１参照）。ユーザが指紋情報採取手段に直接触れることにより画像形成装置の使用が許可されるため、本人以外の人は文書のプリント及び受け取りができない構成となっている。
【特許文献１】特開２００１−２６５７３９号公報
【発明の開示】
【発明が解決しようとする課題】
【０００４】
しかし、上記のような従来技術においても、文書のプリントを指示したユーザが画像形成装置の設置場所まで行って、指紋情報により本人であることが特定されるまでは文書が出力されないため、画像形成装置の前で文書の出力を待たなければならないという問題があった。
【０００５】
特に、画像形成装置がスリープ状態にあった場合には、スリープ状態からの復帰時間がかかり、また、画質補正動作等、画像形成条件の補正動作が画像形成動作前に行われる場合には、さらに出力を待つことになる。
【０００６】
本発明は、上記の従来技術における問題に鑑みてなされたものであって、ユーザを待たせることなく、文書を出力する際のセキュリティを向上させることが可能な画像出力システムを提供することを課題とする。
【課題を解決するための手段】
【０００７】
請求項１に記載の発明は、複数のネットワーク端末と、前記複数のネットワーク端末から送信された画像形成指示に基づいて画像形成を行う画像形成装置と、がネットワークを介して接続された画像出力システムにおいて、自らのＩＤ情報を無線で発信する発信装置を備え、前記画像形成装置は、前記複数のネットワーク端末から前記ＩＤ情報に対応するＩＤ情報が付加されている記録データを含む記録データを受信する受信手段と、前記記録データを記憶する記憶手段と、前記発信装置からＩＤ情報を無線で受信する無線受信手段と、前記記録データに付加されたＩＤ情報と前記発信装置から受信したＩＤ情報とが一致した場合に、当該ＩＤ情報が付加された記録データを出力するよう制御する制御手段と、を備えることを特徴とする画像出力システムである。
【０００８】
請求項２に記載の発明は、前記受信手段が前記複数のネットワーク端末からＩＤ情報が付加されていない記録データを受信した場合、前記制御手段は、前記ＩＤ情報が付加されていない記録データを順次出力するよう制御することを特徴とする請求項１に記載の画像出力システムである。
【０００９】
請求項３に記載の発明は、前記無線受信手段が複数のＩＤ情報を受信した場合、前記制御手段は、前記ＩＤ情報が付加された記録データの出力を停止し、停止したことを表示手段に表示するよう制御することを特徴とする請求項１又は２に記載の画像出力システムである。
【００１０】
請求項４に記載の発明は、前記記録データに付加されたＩＤ情報と前記発信装置から受信したＩＤ情報とが一致した場合に、出力中のジョブがある場合には、前記制御手段は、当該ジョブの出力終了後に、前記ＩＤ情報が付加された記録データを出力するよう制御することを特徴とする請求項１〜３のいずれか一項に記載の画像出力システムである。
【００１１】
請求項５に記載の発明は、前記記録データに付加されたＩＤ情報と前記発信装置から受信したＩＤ情報とが一致した場合に、出力中のジョブがある場合には、前記制御手段は、当該ジョブの出力を中断し、前記ＩＤ情報が付加された記録データを出力し、前記ＩＤ情報が付加された記録データの出力終了後、前記中断していたジョブの出力を再開するよう制御することを特徴とする請求項１〜３のいずれか一項に記載の画像出力システムである。
【００１２】
請求項６に記載の発明は、前記画像形成装置は、複数の排紙トレイを備え、前記制御手段は、前記ＩＤ情報が付加された記録データを出力した記録紙を、前記ＩＤ情報が付加された記録データ専用の排紙トレイに排出するよう制御することを特徴とする請求項１〜５のいずれか一項に記載の画像出力システムである。
【００１３】
請求項７に記載の発明は、前記発信装置は、ＩＤ情報発信指示を入力するためのＩＤ情報発信指示入力手段を備え、前記ＩＤ情報発信指示の入力に応じてＩＤ情報を発信することを特徴とする請求項１〜６のいずれか一項に記載の画像出力システムである。
【００１４】
請求項８に記載の発明は、前記ＩＤ情報発信指示入力手段は、人体から生体情報を読み取る生体情報読取手段であり、当該生体情報に基づいて、本人であることが確認された場合に、ＩＤ情報を発信することを特徴とする請求項７に記載の画像出力システムである。
【００１５】
請求項９に記載の発明は、前記生体情報は、指紋であることを特徴とする請求項８に記載の画像出力システムである。
【００１６】
請求項１０に記載の発明は、前記発信装置は、ＩＤ情報の発信状態を示す情報を通知する発信状態通知手段を備えることを特徴とする請求項１〜９のいずれか一項に記載の画像出力システムである。
【００１７】
請求項１１に記載の発明は、前記発信状態通知手段は、前記ＩＤ情報の発信状態を示す情報を表示する発信状態表示手段であることを特徴とする請求項１０に記載の画像出力システムである。
【００１８】
請求項１２に記載の発明は、前記発信状態通知手段は、前記ＩＤ情報の発信状態を示す情報を音声により通知する音声発生手段であることを特徴とする請求項１０に記載の画像出力システムである。
【００１９】
請求項１３に記載の発明は、前記画像形成装置は、ＩＤ情報が付加された記録データの出力状態を示す情報を無線で発信する無線発信手段を備え、前記発信装置は、前記画像形成装置から発信されたＩＤ情報が付加された記録データの出力状態を示す情報を受信する出力状態無線受信手段と、前記受信されたＩＤ情報が付加された記録データの出力状態を示す情報を通知する出力状態通知手段と、を備えることを特徴とする請求項１〜１２のいずれか一項に記載の画像出力システムである。
【００２０】
請求項１４に記載の発明は、前記出力状態通知手段は、前記ＩＤ情報が付加された記録データの出力状態を示す情報を表示する出力状態表示手段であることを特徴とする請求項１３に記載の画像出力システムである。
【００２１】
請求項１５に記載の発明は、前記出力状態表示手段は、ＩＤ情報が付加された複数の記録データの出力状態を示す情報を表示することを特徴とする請求項１４に記載の画像出力システムである。
【００２２】
請求項１６に記載の発明は、前記出力状態通知手段は、前記ＩＤ情報が付加された記録データの出力状態を示す情報を音声により通知する音声発生手段であることを特徴とする請求項１３に記載の画像出力システムである。
【発明の効果】
【００２３】
請求項１に記載の発明によれば、記録データに付加されたＩＤ情報と発信装置から受信したＩＤ情報とが一致した場合に、ＩＤ情報が付加された記録データを出力するので、ユーザを待たせることなく、セキュリティを向上させることができる。
【００２４】
請求項２に記載の発明によれば、ＩＤ情報が付加されていない記録データを順次出力するので、機密性の低い文書については条件を設けることなく出力することができる。
【００２５】
請求項３に記載の発明によれば、複数のＩＤ情報を受信した場合、ＩＤ情報が付加された記録データの出力を停止するので、出力した文書が他人の手に渡ることを防ぐことができる。
【００２６】
請求項４に記載の発明によれば、記録データに付加されたＩＤ情報と発信装置から受信したＩＤ情報とが一致した場合に、出力中のジョブがある場合には、ジョブの出力終了後に、ＩＤ情報が付加された記録データを出力するので、出力中のジョブ以降に出力される予定の他のジョブに割り込んで、ＩＤ情報が付加された記録データを出力することができる。したがって、ユーザの待ち時間を減少させることができる。
【００２７】
請求項５に記載の発明によれば、記録データに付加されたＩＤ情報と発信装置から受信したＩＤ情報とが一致した場合に、出力中のジョブがある場合には、出力中のジョブを中断するので、ユーザを待たせることなく、ＩＤ情報が付加された記録データを出力することができる。
【００２８】
請求項６に記載の発明によれば、ＩＤ情報が付加された記録データを出力した記録紙を、専用の排紙トレイに排出するので、他の文書に紛れ込むことを防ぎ、セキュリティを向上させることができる。
【００２９】
請求項７に記載の発明によれば、発信装置は、ＩＤ情報発信指示の入力に応じてＩＤ情報を発信するので、ユーザの希望に応じてＩＤ情報を発信することができる。
【００３０】
請求項８に記載の発明によれば、生体情報に基づいて、本人であることが確認された場合に、ＩＤ情報を発信するので、本人以外の者が不正に使用することを防止することができる。
【００３１】
請求項９に記載の発明によれば、指紋に基づいて、本人であることが確認された場合に、ＩＤ情報を発信するので、本人以外の者が不正に使用することを防止することができる。
【００３２】
請求項１０に記載の発明によれば、発信装置は、ＩＤ情報の発信状態を示す情報を通知するので、ユーザはＩＤ情報の発信状態を認識することができる。
【００３３】
請求項１１に記載の発明によれば、ＩＤ情報の発信状態を示す情報を表示するので、ユーザはＩＤ情報の発信状態を認識することができる。
【００３４】
請求項１２に記載の発明によれば、ＩＤ情報の発信状態を示す情報を音声により通知するので、ユーザはＩＤ情報の発信状態を認識することができる。
【００３５】
請求項１３に記載の発明によれば、発信装置は、画像形成装置から発信されたＩＤ情報が付加された記録データの出力状態を示す情報を通知するので、ユーザは画像形成装置における記録データの出力状態を認識することができる。
【００３６】
請求項１４に記載の発明によれば、ＩＤ情報が付加された記録データの出力状態を示す情報を表示するので、ユーザは画像形成装置における記録データの出力状態を認識することができる。
【００３７】
請求項１５に記載の発明によれば、出力状態表示手段は、ＩＤ情報が付加された複数の記録データの出力状態を示す情報を表示するので、ユーザは画像形成装置における複数の記録データの出力状態を認識することができる。
【００３８】
請求項１６に記載の発明によれば、ＩＤ情報が付加された記録データの出力状態を示す情報を音声により通知するので、ユーザは画像形成装置における記録データの出力状態を認識することができる。
【発明を実施するための最良の形態】
【００３９】
［第１の実施の形態］
以下、図面を参照し、本発明の実施の形態を詳細に説明する。
図１に、本発明の第１の実施の形態の画像出力システム１のシステム体系を示す。図１に示すように、画像出力システム１は、複数のＰＣ２ａ，２ｂ，２ｃ，・・・、ＩＤカード３ａ，３ｂ，３ｃ，・・・、画像形成装置４を備えて構成され、ＰＣ２ａ，２ｂ，２ｃ，・・・と画像形成装置４とはネットワークＮを介して接続されている。
【００４０】
ＰＣ２ａ，２ｂ，２ｃ，・・・は、各ユーザが使用するネットワーク端末であって、文書、画像等の記録データを作成し、記録データを出力するために画像形成装置４に送信することが可能である。各ユーザは、ＰＣ２ａ，２ｂ，２ｃ，・・・から記録データを画像形成装置４に送信する際に、各ユーザに対応したＩＤ情報を付加するか否かを選択する。例えば、重要書類等を出力する場合に、ＩＤ情報を付加した記録データを送信する。
【００４１】
ＩＤカード３ａ，３ｂ，３ｃ，・・・は、各ＩＤ情報に対応する発信装置であり、各ユーザによって常時携帯されている。図２に、ＩＤカード３ａの機能構成を示す。ＩＤカード３ａは、ＣＰＵ（Central Processing Unit）３１、ＲＯＭ（Read Only Memory）３２、メモリ装置３３、生体情報読取装置３４、ＩＤ情報発信回路３５、発信状態表示手段３６を備える。
【００４２】
ＣＰＵ３１は、生体情報読取装置３４から入力される信号に応答して、ＲＯＭ３２に記憶された各種制御プログラムを読み出してＲＡＭ（図示せず）に展開し、展開された各制御プログラムとの協働によって各種処理を実行し、ＩＤカード３ａの各部を機能させる。ＲＯＭ３２は、不揮発性の半導体メモリであり、ＣＰＵ３１が実行する基本プログラムやデータ等を記憶している。
【００４３】
メモリ装置３３は、一度だけ書き込みが可能なワンタイムメモリと、各種処理を行う場合のワークメモリ用のリードライト可能なメモリから構成されている。ワンタイムメモリは、ＩＤカード３ａの所有者の生体情報及びＩＤ情報を記憶している。これらの情報は、ＩＤカード１枚に対して１つずつ書き込まれている。この書き込み作業は、例えば、図示しない専用のＩ／Ｆ回路を使用して、ＰＣ等により行われる。
【００４４】
生体情報読取装置３４は、電極を備え、電極に接触した指の抵抗値変化又は静電容量変化に基づいて、所有者の指の指紋と電極との接点・非接点の違いから生ずる電流差を計測してパターン認識用の階調デジタルデータに変換した指紋情報を生体情報として読み取る。
【００４５】
ＩＤ情報発信回路３５は、生体情報読取装置３４により読み取られた生体情報と、メモリ装置３３に記憶されている生体情報とが一致した場合に、予め定められた時間（例えば３分間）、ＩＤ情報をアンテナから無線発信する。このとき、ＩＤ情報発信回路３５は、複数の発信周波数チャンネルの中から予め決められた１つの周波数チャンネルで発信する。無線通信方式としては、例えば、電波を利用した無線通信のHomeRF（Home Radio Frequency）方式、Bluetooth方式、Wi-Fi方式（Wireless Fidelity：IEEE 802.11a／IEEE 802.11b／IEEE 802.11g規格の無線通信LAN）等がある。
【００４６】
発信状態表示手段３６は、例えば、単色ＬＥＤ（Light Emitting Diode：発光ダイオード）を備え、ＩＤ情報発信回路３５によりＩＤ情報が発信されている間、単色ＬＥＤを点滅（又は点灯）させて、発信状態であることを表示する。
【００４７】
ＩＤカード３ｂ，３ｃ，・・・は、ＩＤカード３ａと同様の構成からなるため、説明を省略する。
【００４８】
図３に、画像形成装置４の機能構成を示す。画像形成装置４は、ＣＰＵ４１、ＲＯＭ４２、ＣＰＵ４３、ＲＯＭ４４、ＩＤ情報受信回路４５、データＩ／Ｆ制御回路４６、メモリ書込制御回路４７、画像データ記憶装置４８、メモリ読み出し制御回路４９、画像展開／処理回路５０、ページメモリ５１、印字領域制御回路５２、ＬＤ駆動回路５３、表示手段５４、排紙トレイ装置５５、各駆動負荷５６、各センサ５７、ＲＡＭ（Random Access Memory）５８等を備える。
【００４９】
ＣＰＵ４１は、画像処理系の回路及び画像形成装置全体の状態を統括的に制御する。ＣＰＵ４１は、ＲＯＭ４２に記録されている各種プログラムの中から指定されたプログラムをＲＡＭ５８のワークエリアに展開し、上記プログラムとの協働によって各種処理を実行し、その処理結果をＲＡＭ５８の所定の領域に格納する。ＲＯＭ４２は、不揮発性の半導体メモリで構成され、ＣＰＵ４１により実行される画像形成装置４の各種プログラムやデータ等を記憶している。
【００５０】
ＣＰＵ４３は、画像形成装置４の画像形成動作を行う各駆動系を制御する。ＣＰＵ４３は、ＲＯＭ４４に記録されている各種プログラムの中から指定されたプログラムをＲＡＭ（図示せず）のワークエリアに展開し、上記プログラムとの協働によって各種処理を実行し、その処理結果をＲＡＭの所定の領域に格納する。ＲＯＭ４４は、不揮発性の半導体メモリで構成され、ＣＰＵ４３により実行される画像形成装置４の各種プログラムやデータ等を記憶している。
【００５１】
ＩＤ情報受信回路４５は、ＩＤカード３ａ，３ｂ，３ｃ，・・・のＩＤ情報発信回路３５から無線発信されたＩＤ情報を受信する。ＩＤ情報受信回路４５により受信されたＩＤ情報は、ＲＡＭ５８に一時的に格納される。
【００５２】
データＩ／Ｆ制御回路４６は、ＰＣ２ａ，２ｂ，２ｃ，・・・から送信された記録データを、ネットワークＮを介して受信し、メモリ書込制御回路４７に出力する。
【００５３】
メモリ書込制御回路４７は、ＣＰＵ４１の指示に従って、データＩ／Ｆ制御回路４６により受信された記録データを画像データ記憶装置４８に出力する。このとき、記録データにＩＤ情報が付加されているか否かに基づいて、異なる格納領域に記録データを格納する。
【００５４】
画像データ記憶装置４８は、ＨＤＤ（Hard Disk Drive）又はメモリを備えて構成され、各ＰＣ２ａ，２ｂ，２ｃ，・・・から送信された記録データを記憶する。
【００５５】
図４（ａ）に、記録データのデータ構造を示す。データＩ／Ｆ制御回路４６により図４（ａ）に示す順序で記録データを受信した場合について説明する。ＰＣ２ａ，２ｂ，２ｃ，・・・からＩＤ情報が付加されて記録データが送信された場合には、記録データのヘッダにＩＤ情報が書き込まれている。１番目、２番目、４番目、７番目の記録データは、ＩＤ情報が付加されていない。３番目、６番目の記録データは、ＩＤ情報（Ａ）が付加されており、５番目の記録データは、ＩＤ情報（Ｂ）が付加されている。ＩＤ情報（Ａ）はＰＣ２ａを使用するユーザＡに対応するＩＤ情報、ＩＤ情報（Ｂ）はＰＣ２ｂを使用するユーザＢに対応するＩＤ情報である。
【００５６】
図４（ｂ）に示すように、画像データ記憶装置４８のデータ格納領域は、ＩＤ情報付き記録データ格納領域と、ＩＤ情報なし記録データ格納領域と、に分けられていることが好ましい。図４（ｂ）に示すように、記録データの受付順に、ＩＤ情報が付加されているか否かに従って分類され、それぞれの領域に格納される。これにより、ＩＤ情報が付加されている記録データについてＩＤ情報を検索する際に、データ格納領域全域ではなく、ＩＤ情報付き記録データ格納領域のみを検索すればよいので、検索時間の短縮を図ることができる。なお、画像データ記憶装置４８への記録データの格納方法は、記録データを受付順に随時格納していく方法や、ジョブ処理（画像形成装置４が画像を出力する１出力命令単位の画像出力動作をジョブと称する。）終了で開放された記憶領域を探して、空き領域に記録データを格納していく方法、空き領域を詰めていく方法等、図４（ｂ）に示す方法に限定されない。
【００５７】
メモリ読み出し制御回路４９は、ＣＰＵ４１の指示に従って、ＩＤ情報受信回路４５によりＩＤ情報が受信された場合に、ＩＤ情報受信回路４５により受信されたＩＤ情報と、画像データ記憶装置４８内に格納されている記録データに付加されているＩＤ情報と、を比較し、両者が一致した場合に、このＩＤ情報が付加されている記録データを画像展開／処理回路５０に出力する。ＩＤ情報が付加されていない記録データについては、順次、画像展開／処理回路５０に出力する。
【００５８】
画像展開／処理回路５０は、ＣＰＵ４１の指示に従って、圧縮されている記録データを展開し、各種画像処理を施し、ページメモリ５１に一時的に格納する。記録データの出力の順番がまわってきた場合に、ページメモリ５１に格納されている記録データが印字領域制御回路５２に出力される。
【００５９】
印字領域制御回路５２は、ＣＰＵ４１の指示に従って、ページメモリ５１から読み出した記録データに基づいて、記録紙に対して画像印字領域を決める信号を生成し、ＬＤ駆動回路５３に出力する。
【００６０】
ＬＤ駆動回路５３は、記録データに基づいて、ＰＷＭ（Pulse Width Modulation）変調によりＬＤを駆動制御して、電子写真方式によって、記録紙に画像を形成する。
【００６１】
表示手段５４は、ＬＣＤ（Liquid Crystal Display）等で構成され、ＣＰＵ４１からの表示信号に従って、画面表示を行う。
【００６２】
排紙トレイ装置５５には、画像が形成された記録紙が排出される。画像形成装置４は、排紙トレイを複数備えており、ＩＤ情報が付加されている記録データが出力された記録紙は、専用の排紙トレイに排出される。
【００６３】
各駆動負荷５６に対して、ＣＰＵ４３から制御信号が出力され、また、各センサ５７からの信号は、ＣＰＵ４３に出力される。
【００６４】
ネットワークＮは、ＬＡＮ、ＷＡＮ（Wide Area Network）、インターネットを含めてもよく、電話回線網、ＩＳＤＮ（Integrated Services Digital Network）回線網、ＡＤＳＬ（Asymmetric Digital Subscriber Line）回線網、移動体通信網、通信衛星回線、ＣＡＴＶ回線、光通信回線、無線通信回線等を含む構成でもよい。
【００６５】
次に、本実施の形態の動作を説明する。
（記録データ記憶処理）
図５は、記録データ記憶処理を示すフローチャートである。記録データ記憶処理は、ユーザが出力したい画像や文書等の記録データをＰＣ２ａ，２ｂ，２ｃ，・・・で作成し、ネットワークＮを介して画像形成装置４へ送信した後に、画像形成装置４により行われる処理である。
【００６６】
まず、ＰＣ２ａ，２ｂ，２ｃ，・・・から送信された記録データが画像形成装置４によって受信される（ステップＳ１）。この記録データにＩＤ情報が付加されている場合には（ステップＳ２；ＹＥＳ）、画像データ記憶装置４８のＩＤ情報付き記録データ格納領域に格納される（ステップＳ３）。記録データにＩＤ情報が付加されていない場合には（ステップＳ２；ＮＯ）、画像データ記憶装置４８のＩＤ情報なし記録データ格納領域に格納される（ステップＳ４）。
以上で、記録データ記憶処理が終了する。
【００６７】
（ＩＤ情報発信処理）
図６は、ＩＤカード３ａ，３ｂ，３ｃ，・・・により行われるＩＤ情報発信処理を示すフローチャートである。ＩＤ情報発信処理は、ＰＣ２ａ，２ｂ，２ｃ，・・・において記録データの出力を指示したユーザが画像形成装置４に近づく際に行われる処理である。
【００６８】
まず、生体情報読取装置３４により指紋が入力されたか否かが判断される（ステップＳ１１）。指紋の入力があった場合には（ステップＳ１１；ＹＥＳ）、生体情報読取装置３４により読み取られた生体情報とメモリ装置３３に記憶されている生体情報とが一致するか否かが判断される（ステップＳ１２）。
【００６９】
生体情報読取装置３４により読み取られた生体情報とメモリ装置３３に記憶されている生体情報とが一致する場合には（ステップＳ１２；ＹＥＳ）、メモリ装置３３からＩＤ情報が読み出され、指定周波数チャンネルで無線発信される。ＩＤ情報の発信中は、発信状態表示手段３６によりＬＥＤが点滅する（ステップＳ１３）。ＩＤ情報の発信開始から所定時間（例えば３分）が経過したか否かが判断され（ステップＳ１４）、所定時間経過後に（ステップＳ１４；ＹＥＳ）、ＩＤ情報の発信動作及びＬＥＤの点滅が停止される（ステップＳ１５）。
以上で、ＩＤ情報発信処理が終了する。
【００７０】
（ＩＤ情報受信処理）
図７は、ＩＤ情報受信処理を示すフローチャートである。ＩＤ情報受信処理は、画像形成装置４において１０ｍｓ〜５００ｍｓのタイマー割り込みで実行される処理で、ＩＤ情報の受信の有無をサンプリングする。ここで、ＩＤカード３ａ，３ｂ，３ｃ，・・・から発信される発信周波数及び画像形成装置４において受信される受信周波数のチャンネル数はＮであるとする。
【００７１】
まず、受信周波数が初期化され（周波数チャンネル＝１に設定）、ＩＤカード３ａ，３ｂ，３ｃ，・・・から受信した全ＩＤ情報がＲＡＭ５８から消去される（ステップＳ２１）。
【００７２】
次に、その周波数チャンネルでのＩＤ情報の受信があるか否かが判断される（ステップＳ２２）。ＩＤ情報の受信がある場合には（ステップＳ２２；ＹＥＳ）、受信したＩＤ情報がＲＡＭ５８に記憶される（ステップＳ２３）。
【００７３】
そして、受信周波数が次の受信周波数チャンネル＝２に設定される（ステップＳ２４）。同様に、受信周波数チャンネルを１ずつ増やしながら、ステップＳ２２〜ステップＳ２４が繰り返される。受信周波数チャンネルがＮを超えたところで（ステップＳ２５；ＮＯ）、ＩＤ情報受信処理が終了する。
【００７４】
（ＩＤ判別処理１）
図８は、ＩＤ判別処理１を示すフローチャートである。ＩＤ判別処理１は、記録データを出力する際に画像形成装置４において実行される処理である。
【００７５】
まず、ＩＤ情報の受信が有るか否かが判断される（ステップＳ３１，図７のＩＤ情報受信処理参照）。
ＩＤ情報の受信が有る場合には（ステップＳ３１；ＹＥＳ）、複数のＩＤ情報が受信されたか否かが判断される（ステップＳ３２）。複数のＩＤ情報が受信された場合には（ステップＳ３２；ＹＥＳ）、画像形成装置４において記録データの出力が停止され（ステップＳ３３）、停止したことが表示手段５４に表示される（ステップＳ３４）。
【００７６】
ＩＤ情報が１つのみ受信された場合には（ステップＳ３２；ＮＯ）、画像データ記憶装置４８に記憶されているＩＤ情報付き記録データのＩＤ情報が読み出される（ステップＳ３５）。そして、受信されたＩＤ情報と記録データに付加されているＩＤ情報とが一致するか否かが判断される（ステップＳ３６）。受信されたＩＤ情報と記録データに付加されているＩＤ情報とが一致する場合には（ステップＳ３６；ＹＥＳ）、画像形成装置４において出力中のジョブがあるか否かが判断される（ステップＳ３７）。
【００７７】
画像形成装置４において出力中のジョブがない場合（ステップＳ３７；ＮＯ）、該当するＩＤ情報が付加された記録データが専用トレイに出力される（ステップＳ３８）。
【００７８】
ステップＳ３７において、出力中のジョブがある場合には（ステップＳ３７；ＹＥＳ）、出力中のジョブが終了した後に（ステップＳ３９）、ＩＤ情報が付加された記録データが専用トレイに出力される（ステップＳ３８）。
以上でＩＤ判別処理１が終了する。
【００７９】
第１の実施の形態における画像出力システム１によれば、記録データに付加されたＩＤ情報とＩＤカード３ａ，３ｂ，３ｃ，・・・から受信したＩＤ情報とが一致した場合に、ＩＤ情報が付加された記録データを出力するので、ユーザを待たせることなく、セキュリティを向上させることができる。また、複数のＩＤ情報を受信した場合、ＩＤ情報が付加された記録データの出力を停止するので、出力した文書が他人の手に渡ることを防ぐことができる。また、ＩＤ情報が付加された記録データを出力した記録紙を、専用の排紙トレイに排出するので、他の文書に紛れ込むことを防ぎ、セキュリティを向上させることができる。
【００８０】
また、記録データに付加されたＩＤ情報とＩＤカード３ａ，３ｂ，３ｃ，・・・から受信したＩＤ情報とが一致した場合に、出力中のジョブがある場合には、ジョブの出力終了後に、ＩＤ情報が付加された記録データを出力するので、出力中のジョブ以降に出力される予定の他のジョブに割り込んで、ＩＤ情報が付加された記録データを出力することができる。したがって、ユーザの待ち時間を減少させることができる。
【００８１】
また、ＩＤ情報が付加されていない、機密性の低い文書については、条件を設けることなく出力することができる。
【００８２】
また、ＩＤカード３ａ，３ｂ，３ｃ，・・・は、生体情報に基づいて、本人であることを確認した後、ＩＤ情報を発信するので、本人以外の者が不正に使用することを防止することができる。
【００８３】
なお、ＩＤカード３ａ，３ｂ，３ｃ，・・・から画像形成装置４へのＩＤ情報の送信において、ＩｒＤＡ（Infrared Data Association）方式を用いることとしてもよい。この場合、ＩＤカード３ａ，３ｂ，３ｃ，・・・は、図２に示すＩＤ情報発信回路３５に代えて、図９に示すように、ＩｒＤＡ送信回路３７、赤外線発光ＬＥＤ３８を備える。他の構成部分については、図２に示したＩＤカード３ａ，３ｂ，３ｃ，・・・と同様であるので、同一の符号を付し、説明を省略する。生体情報読取装置３４により読み取られた生体情報と、メモリ装置３３に記憶されている生体情報とが一致した場合に、ＩｒＤＡ送信回路３７は赤外線発光ＬＥＤ３８を駆動し、赤外線を発光する。また、画像形成装置４は、図３に示したＩＤ情報受信回路４５に代えて、図１０に示すように、ＩｒＤＡ受信回路５９、フォトトランジスタ６０を備える。他の構成部分については、図３に示した画像形成装置４と同様であるので、同一の符号を付し、説明を省略する。フォトトランジスタ６０は、赤外線を受光し、電気信号に変換する。ＩｒＤＡ受信回路５９は、フォトトランジスタ６０により変換された電気信号を受信する。
【００８４】
［第２の実施の形態］
次に、本発明を適用した第２の実施の形態について説明する。
第２の実施の形態に示す画像出力システムにおいて、第１の実施の形態に示した画像出力システム１と同一の構成部分については同一の符号を付し、その構成については図示及び説明を省略する。また、第１の実施の形態において説明した記録データ記憶処理、ＩＤ情報発信処理、ＩＤ情報受信処理についても同様であるので、説明を省略する。以下、第２の実施の形態に特徴的な処理について説明する。
【００８５】
（ＩＤ判別処理２）
図１１は、ＩＤ判別処理２を示すフローチャートである。ＩＤ判別処理２は、記録データを出力する際に画像形成装置４において実行される処理である。図８に示したＩＤ判別処理１と同様の処理については、同一の符号を付し、説明を省略する。
【００８６】
ステップＳ３７において、出力中のジョブがある場合に（ステップＳ３７；ＹＥＳ）、出力中のジョブの画像形成動作が停止され、停止時の状態が記憶される（ステップＳ４０）。そして、該当するＩＤ情報が付加された記録データが専用トレイに出力される（ステップＳ４１）。ＩＤ情報付き記録データの出力後、停止状態のジョブの画像形成動作が再開される（ステップＳ４２）。
以上でＩＤ判別処理２が終了する。
【００８７】
第２の実施の形態における画像出力システムによれば、記録データに付加されたＩＤ情報とＩＤカード３ａ，３ｂ，３ｃ，・・・から受信したＩＤ情報とが一致した場合に、出力中のジョブがある場合には、出力中のジョブを中断するので、ユーザを待たせることなく、ＩＤ情報が付加された記録データを出力することができる。
【００８８】
［第３の実施の形態］
次に、本発明を適用した第３の実施の形態について説明する。
第３の実施の形態における画像出力システムは、図１に示した画像出力システム１との比較において、ＩＤカード３ａ，３ｂ，３ｃ，・・・と画像形成装置４の構成が異なるので、ＩＤカード１０３ａ，１０３ｂ，１０３ｃ，・・・、画像形成装置１０４と表記し、その他の同一の構成部分については同一の符号を付し、図示及び説明を省略する。以下、第３の実施の形態に特徴的な構成及び処理について説明する。
【００８９】
図１２に、第３の実施の形態におけるＩＤカード１０３ａの外観構成を示す。他のＩＤカード１０３ｂ，１０３ｃ，・・・についても同様である。図１２（ａ）に示すように、ＩＤカード１０３ａの表面には、所有者の顔写真や氏名等が印刷されている。また、図１２（ｂ）に示すように、ＩＤカード１０３ａの裏面には、ＬＣＤ表示部１４０、操作ＳＷ（Switch）１４５、生体情報読取装置１３６、マイクロホン１４４が設けられている。また、ＩＤカード１０３ａの側面には、外部機器と接続するためのＩ／Ｆコネクタ１４６ａが設けられている。ＩＤカード１０３ａとして、例えば、会社の従業員証を利用することができる。
【００９０】
図１３に、ＩＤカード１０３ａの機能構成を示す。図１３に示すように、ＩＤカード１０３ａは、ＣＰＵ１３１、無線データ発信回路１３２、無線データ受信回路１３３、ＲＯＭ１３４、メモリ装置１３５、生体情報読取装置１３６、生体情報データ記憶装置１３７、表示データメモリ１３８、ＬＣＤドライバ１３９、ＬＣＤ表示部１４０、オーディオ出力ＡＭＰ１４１、ブザー１４２、音声入力ＡＭＰ１４３、マイクロホン１４４、操作ＳＷ１４５、外部Ｉ／Ｆ回路１４６、ＤＳＰ（Digital Signal Processor）１４９を備える。ＩＤカード１０３ａの電源としては、リチウム電池の他にニッケル水素電池等の充電式電池等が使用される。
【００９１】
ＣＰＵ１３１は、操作ＳＷ１４５又は生体情報読取装置１３６から入力される指示に応答して、ＲＯＭ１３４に記憶された各種制御プログラムを読み出してＲＡＭ（図示せず）に展開し、展開された各制御プログラムとの協働によって各種処理を実行し、ＩＤカード１０３ａの各部を機能させる。ＲＯＭ１３４は、不揮発性の半導体メモリ（例えば、何度でも電気的に消去・書込可能なフラッシュメモリを使用する。）であり、ＣＰＵ１３１が実行する基本プログラムやデータ等を記憶している。
【００９２】
無線データ発信回路１３２は、ＩＤ情報等のデータをアンテナから無線発信する。無線データ受信回路１３３は、データを無線で受信する。無線通信方式としては、例えば、電波を利用した無線通信のHomeRF方式、Bluetooth方式、Wi-Fi方式（IEEE 802.11a／IEEE 802.11b／IEEE 802.11g規格の無線通信LAN）等がある。
【００９３】
メモリ装置１３５は、フラッシュメモリで構成されており、ＩＤカード１０３ａの所有者のＩＤ情報を記憶している。
【００９４】
生体情報読取装置１３６は、人体から生体情報を読み取る。生体情報読取装置１３６は、生体情報を読み取る機能の他に、ＩＤカード１０３ａの電源がＯＦＦの状態から電源を起動させる機能を有する。また、生体情報読取装置１３６は、生体情報が２秒以上入力された場合にはＩＤ情報発信指示入力手段としての機能を有する。
【００９５】
生体情報として指紋を用いる場合には、生体情報読取装置１３６は、半導体電極に接触した指の抵抗値変化、又は、指を押し付けたときに生じる山と谷における電荷の差に基づいて、所有者の指の指紋のパターンを読み取る。
【００９６】
生体情報として声紋を用いる場合には、生体情報読取装置１３６は、マイクロホン１４４から入力された音声を高速フーリエ変換を用いて周波数分析を行い、サウンドスペクトログラム（時間軸に対して周波数成分をプロットしたもの）のパターンを抽出する。
【００９７】
生体情報データ記憶装置１３７は、フラッシュメモリで構成されており、ＩＤカード１０３ａの所有者の生体情報を予め記憶している。ここでは、生体情報に基づいてパターン演算処理により作成された生体パターンが、生体認証処理の際に基準となる基準パターンとして記憶されている。
【００９８】
表示データメモリ１３８は、ＬＣＤ表示部１４０により表示される表示データを記憶する。ＬＣＤドライバ１３９は、表示データに基づいてＬＣＤ表示部１４０を駆動する。
【００９９】
ＬＣＤ表示部１４０は、表示データメモリ１３８に記憶されている表示データを表示する。ＬＣＤ表示部１４０における表示方法は、細かい画像を表示可能なドット表示でもよいし、文字やマークのみを表示するキャラクタ表示でもよい。
【０１００】
オーディオ出力ＡＭＰ１４１は、ＤＳＰ１４９により音声処理された音を増幅してブザー１４２に出力する。ブザー１４２は、ブザー音を出力する。ブザー１４２に代えて、スピーカを備え、ＬＣＤ表示部１４０に表示している文字の音声案内、又は音声案内にブザー音を加えて出力することとしてもよい。
【０１０１】
音声入力ＡＭＰ１４３は、マイクロホン１４４から入力された音声を増幅してＤＳＰ１４９に出力する。
【０１０２】
操作ＳＷ１４５は、所有者に押下された場合に、押下信号をＣＰＵ１３１に出力する。操作ＳＷ１４５以外の操作手段として、ＬＣＤ表示部１４０の表示画面上を覆うようにタッチパネルを設け、電磁誘導式、磁気歪式、感圧式等の座標読み取り原理でタッチ指示された座標を検出し、検出した座標を位置信号としてＣＰＵ１３１に出力することとしてもよい。
【０１０３】
外部Ｉ／Ｆ回路１４６は、Ｉ／Ｆコネクタ１４６ａを介してＰＣと接続するためのインターフェース回路であって、ＲＯＭ１３４に記憶される制御プログラム、メモリ装置１３５に記憶されるＩＤ情報及び生体情報データ記憶装置１３７に記憶される生体情報をＩＤカード１０３ａに書き込む際に使用される。各データの書き替えは、改竄防止のため、ＩＤ情報とパスワードを用いて本人であることを照合した後に行われる。
【０１０４】
なお、外部Ｉ／Ｆ回路１４６を使用せずに、ＩＤカード１０３ａの通信機能を用いて、図示しない専用の書き替え装置からデータの書き替えを行ってもよい。また、生体情報データ記憶装置１３７に生体情報を記憶させる際に、ＩＤカード１０３ａを用いてＩＤ情報とパスワードを用いて本人であることを照合した後に、生体情報読取装置１３６から生体情報を読み取らせて記憶させることとしてもよい。
【０１０５】
ＤＳＰ１４９は、生体情報の画像処理判別や音声処理等の高速演算処理を行う。
【０１０６】
ＩＤカード１０３ａにおいて、電源が入っている状態で、５分間連続して生体情報読取装置１３６又は操作ＳＷ１４５からの入力がない場合には、電源がＯＦＦされる。
【０１０７】
図１４に、画像形成装置１０４の機能構成を示す。画像形成装置１０４は、ＣＰＵ４１、ＲＯＭ４２、ＣＰＵ４３、ＲＯＭ４４、画像展開／処理回路５０、ページメモリ５１、印字領域制御回路５２、ＬＤ駆動回路５３、表示手段５４、排紙トレイ装置５５、各駆動負荷５６、各センサ５７、ＲＡＭ５８、ＬＡＮ  Ｉ／Ｆ回路１５１、ＵＳＢ  Ｉ／Ｆ回路１５２、原稿読取装置１５３、ＦＡＸ装置１５４、モデム１５５、データ入力制御回路１５６、無線データ受信回路１５７、無線データ発信回路１５８、無線電話通信モジュール１５９、メモリ書込制御回路１６０、画像データ記憶装置１６１、メモリ読み出し制御回路１６２等を備える。
【０１０８】
画像形成装置１０４において、図３に示した画像形成装置４と同一の構成部分については同一の符号を付し、その構成については説明を省略する。
【０１０９】
ＬＡＮ  Ｉ／Ｆ回路１５１は、ネットワークＮと接続するためのインターフェース回路であって、ネットワークＮを介した記録データの入力や、原稿読取装置１５３による読み取りデータ、又はＦＡＸ装置１５４による受信データの転送を行う。
【０１１０】
ＵＳＢ  Ｉ／Ｆ回路１５２は、外部メモリと接続するためのインターフェース回路であって、外部メモリからの記録データの入力や、外部メモリへの記録データの転送を行う。
【０１１１】
原稿読取装置１５３は、光源、レンズ、ＣＣＤ等により構成され、光源から原稿へ照明走査した光の反射光を結像して光電変換することにより、原稿の画像を読み取る。
【０１１２】
ＦＡＸ装置１５４は、モデム１５５を介して電話回線と接続し、画像の送受信を行う。
【０１１３】
データ入力制御回路１５６は、ＬＡＮ  Ｉ／Ｆ回路１５１、ＵＳＢ  Ｉ／Ｆ回路１５２、原稿読取装置１５３又はＦＡＸ装置１５４から入力されるデータをメモリ書込制御回路１６０に出力する。
【０１１４】
無線データ受信回路１５７は、ＩＤカード１０３ａの無線データ発信回路１３２から無線発信されたＩＤ情報等の無線データを受信する。
【０１１５】
無線データ発信回路１５８は、無線データを発信する。
【０１１６】
無線電話通信モジュール１５９は、携帯電話機やＰＨＳ（Personal Handyphone System）等との通信を行う。
【０１１７】
メモリ書込制御回路１６０は、ＣＰＵ４１の指示に従って、データ入力制御回路１５６から入力されるデータを画像データ記憶装置１６１に出力する。このとき、ＬＡＮ  Ｉ／Ｆ回路１５１により受信された記録データについては、ＩＤ情報が付加されているか否かに基づいて、異なる格納領域に格納する。
【０１１８】
画像データ記憶装置１６１は、ＨＤＤ又はメモリを備えて構成され、ネットワークＮ又は外部メモリからの記録データ、原稿読取装置１５３により読み取られたデータ、ＦＡＸ装置１５４により受信されたデータを記憶する。
【０１１９】
メモリ読み出し制御回路１６２は、ＣＰＵ４１の指示に従って、無線データ受信回路１５７によりＩＤ情報が受信された場合に、無線データ受信回路１５７により受信されたＩＤ情報と、画像データ記憶装置１６１内に格納されている記録データに付加されているＩＤ情報と、を比較し、両者が一致した場合に、このＩＤ情報が付加されている記録データを画像展開／処理回路５０に出力する。ＩＤ情報が付加されていない記録データについては、順次、画像展開／処理回路５０に出力する。なお、原稿読取装置１５３により読み取られたデータをＬＡＮ  Ｉ／Ｆ回路１５１又はＵＳＢ  Ｉ／Ｆ回路１５２により外部へ転送することとしてもよい。
【０１２０】
次に、本実施の形態の動作について説明する。
まず、図１５を参照して、ＩＤカード１０３ａにおいてジョブリスト表示及びプリント開始指示動作を実行する際のＩＤカード１０３ａと画像形成装置１０４における処理の概要について説明する。
【０１２１】
図１５に示すように、ＩＤカード１０３ａの電源がＯＦＦの状態で、生体情報読取装置１３６から生体情報が入力され、認証が行われることにより、電源が起動される（ステップＡ１）。このとき、ＩＤカード１０３ａのＬＣＤ表示部１４０には、図１６（ａ）に示すように、「電源ＯＮしました。」と表示される。図１６（ａ）に示されている電波強度は、ＩＤカード１０３ａがおかれている環境での画像形成装置１０４からの無線通信電波の強度を示している。
【０１２２】
次に、再度生体情報読取装置１３６から生体情報が入力され、認証が行われる（ステップＡ２）。生体情報読取装置１３６により生体情報が読み取られている間は、図１６（ｂ）に示すように、ＩＤカード１０３ａのＬＣＤ表示部１４０に、「生体情報入力中。」と表示される。生体情報読取装置１３６により読み取られた生体情報と、予め生体情報データ記憶装置１３７に記憶されている生体情報とが一致し、認証が成功した場合には、図１６（ｃ）に示すように、ＬＣＤ表示部１４０に、「＊＊＊＊＊さんを認証しました。」と表示されるとともに、ブザー１４２から「ピーッ」というブザー音が出力される。認証が失敗した場合には、図１６（ｄ）に示すように、ＬＣＤ表示部１４０に、「認証できませんでした。」と表示される。
【０１２３】
続いて、操作ＳＷ１４５が押下されることにより（ステップＡ３）、画像形成装置１０４にＩＤ情報及びジョブリスト要求が送信される（ステップＡ４）。以下、ＩＤカード１０３ａと画像形成装置１０４との通信においては、ＩＤカード１０３ａから画像形成装置１０４へのデータ送信、画像形成装置１０４からＩＤカード１０３ａへのデータ送信とも、特に断わらない場合にもＩＤ情報が付加されることとする。
【０１２４】
そして、画像形成装置１０４では、ＩＤカード１０３ａから受信したＩＤ情報と画像データ記憶装置１６１に記憶されている記録データに付加されているＩＤ情報との照合が行われ（ステップＡ５）、ＩＤカード１０３ａに画像形成装置１０４において出力されるジョブのジョブリストが送信される（ステップＡ６）。
【０１２５】
そして、ＩＤカード１０３ａのＬＣＤ表示部１４０には、図１６（ｅ）、（ｆ）に示すように、「あなたのＩＤ付きプリントジョブがあります。」という表示とともに、ジョブリスト（ジョブ番号、ファイル形式、枚数等）が表示される（ステップＡ７）。図１６（ｅ）はジョブが１つの場合の例で、ジョブ番号「０１３０」、ファイル形式「Msword」、枚数「１」が表示されている。また、ジョブが複数あった場合には、図１６（ｆ）に示すように、複数のジョブが「＞」で区切られて表示される。ＬＣＤ表示部１４０の大きさに対して、表示内容が多い場合には、表示できない部分については「・・・」と表示される。画像形成装置１０４において、該当するジョブの出力が完了すると、出力されたジョブはジョブリストから削除される。なお、画像形成装置１０４において出力すべきジョブがない場合には、ＬＣＤ表示部１４０に「ジョブはありません。」と表示される。
【０１２６】
次に、生体情報読取装置１３６から生体情報が入力され、認証が行われる（ステップＡ８）。認証が成功した場合には、ＩＤカード１０３ａのＬＣＤ表示部１４０に、認証結果が表示されるとともに、ブザー１４２から「ピーッ」というブザー音が出力される。
【０１２７】
続いて、生体情報読取装置１３６から生体情報が２秒間入力され（ステップＡ９）、画像形成装置１０４にＩＤ情報及びプリント開始指示が送信される（ステップＡ１０）。このとき、図１６（ｇ）に示すように、ＬＣＤ表示部１４０に、「ＩＤ情報とプリント開始指示を送信中です。」と発信状態を示す情報が表示されるとともに、ブザー１４２から「ピッピッ」というブザー音が出力される。
【０１２８】
画像形成装置１０４では、ＩＤカード１０３ａから受信したＩＤ情報と画像データ記憶装置１６１に記憶されている記録データに付加されているＩＤ情報との照合が行われ、照合された記録データのプリント出力が開始される（ステップＡ１１）。そして、画像形成装置１０４からＩＤカード１０３ａへプリント開始状態を示す情報が送信される（ステップＡ１２）。
【０１２９】
ＩＤカード１０３ａのＬＣＤ表示部１４０には、図１６（ｈ）に示すように、画像形成装置１０４の状態を示す情報が「あなたのジョブをプリント出力中です。」と表示される（ステップＡ１３）。
【０１３０】
次に、ＩＤカード１０３ａから画像形成装置１０４に出力完了時間要求が送信される（ステップＡ１４）。出力完了時間とは、プリント出力中のジョブの進行状況を表している。
【０１３１】
画像形成装置１０４では、プリント出力中のジョブの出力完了時間が演算され（ステップＡ１５）、ＩＤカード１０３ａに送信される（ステップＡ１６）。
【０１３２】
ＩＤカード１０３ａのＬＣＤ表示部１４０には、図１６（ｉ）に示すように、画像形成装置１０４の状態を示す情報が「あなたのジョブをプリント出力中です。」と表示されるとともに、出力完了時間が表示される（ステップＡ１７）。出力完了時間は、ここでは４段階で表示されており、既に１／４程度プリント出力が終了していることを示している。
【０１３３】
プリントが完了するまで、複数回ＩＤカード１０３ａから画像形成装置１０４に出力完了時間要求が送信され（ステップＡ１８）、画像形成装置１０４において、プリントが完了すると（ステップＡ１９）、画像形成装置１０４からＩＤカード１０３ａへプリント完了情報が送信される（ステップＡ２０）。
【０１３４】
ＩＤカード１０３ａのＬＣＤ表示部１４０には、図１６（ｊ）に示すように、「出力完了。あなたのジョブがトレイにあります」と３０秒間表示される（ステップＡ２１）。また、ブザー１４２から「ピーッ」というブザー音が５秒間出力される。
【０１３５】
次に、図１７を参照して、第３の実施の形態の画像出力システムにおいて、複数のＰＣ２ａ，２ｂから画像形成装置１０４へ記録データが送信された場合の動作の概要について説明する。ここで、ＰＣ２ａはＩＤカード１０３ａの所有者が使用し、ＰＣ２ｂは他人が使用していることとする。
【０１３６】
図１７に示すように、ＰＣ２ａからＩＤ情報が付加された記録データが、ネットワークＮを介して画像形成装置１０４に送信される（ステップＢ１，Ｂ２）。画像形成装置１０４では、受信した記録データが画像データ記憶装置１６１に格納される（ステップＢ３）。
【０１３７】
ＩＤカード１０３ａの電源がＯＦＦの状態で、生体情報読取装置１３６から生体情報が入力され、認証が行われることにより、電源が起動される（ステップＢ４）。そして、ＩＤカード１０３ａから画像形成装置１０４の状態要求が送信される（ステップＢ５）。
【０１３８】
このとき、画像形成装置１０４は記録待機状態である（ステップＢ６）。そして、画像形成装置１０４からＩＤカード１０３ａへ画像形成装置１０４の状態を示す情報が送信され（ステップＢ７）、ＩＤカード１０３ａのＬＣＤ表示部１４０に、画像形成装置１０４の状態を示す情報が表示される（ステップＢ８）。
【０１３９】
次に、ＰＣ２ｂからＩＤ情報が付加されていない記録データが、ネットワークＮを介して画像形成装置１０４に送信される（ステップＢ９，Ｂ１０）。画像形成装置１０４では、受信した記録データが画像データ記憶装置１６１に格納される（ステップＢ１１）。
【０１４０】
次に、ＩＤカード１０３ａから画像形成装置１０４へ画像形成装置１０４の状態要求が送信される（ステップＢ１２）。このとき、画像形成装置１０４はＰＣ２ｂからの記録データを出力中であり（ステップＢ１３）、画像形成装置１０４がＰＣ２ｂからの記録データを出力中であるという情報が画像形成装置１０４からＩＤカード１０３ａに送信される（ステップＢ１４）。ＩＤカード１０３ａのＬＣＤ表示部１４０には、図１６（ｋ）に示すように、画像形成装置１０４の状態を示す情報が「画像形成装置使用中」と表示される（ステップＢ１５）。
【０１４１】
次に、ＩＤカード１０３ａから画像形成装置１０４へ画像形成装置１０４の状態要求が送信される（ステップＢ１６）。ここで、画像形成装置１０４はＰＣ２ｂからの記録データの出力を完了し（ステップＢ１７）、画像形成装置１０４においてＰＣ２ｂからの記録データの出力が完了したという情報が画像形成装置１０４からＩＤカード１０３ａに送信される（ステップＢ１８）。そして、ＩＤカード１０３ａのＬＣＤ表示部１４０に画像形成装置１０４の状態として表示されていた「画像形成装置使用中」の文字が消される（ステップＢ１９）。
【０１４２】
次に、生体情報読取装置１３６から生体情報が入力され、認証が行われる（ステップＢ２０）。認証が成功した場合には、ＩＤカード１０３ａのＬＣＤ表示部１４０に、認証結果が表示されるとともに、ブザー１４２から「ピーッ」というブザー音が出力される。
【０１４３】
続いて、生体情報読取装置１３６から生体情報が２秒間入力され（ステップＢ２１）、画像形成装置１０４にＩＤ情報及びプリント開始指示が送信される（ステップＢ２２）。このとき、ＬＣＤ表示部１４０に、ＩＤ情報とプリント開始指示を送信中であることが表示され、ブザー１４２から「ピッピッ」というブザー音が出力される。
【０１４４】
画像形成装置１０４では、ＩＤカード１０３ａから受信したＩＤ情報と画像データ記憶装置１６１に記憶されている記録データに付加されているＩＤ情報との照合が行われ、照合された記録データのプリント出力が開始される（ステップＢ２３）。そして、画像形成装置１０４からＩＤカード１０３ａへプリント開始状態を示す情報が送信される（ステップＢ２４）。
【０１４５】
なお、ＩＤカード１０３ａから画像形成装置１０４へデータを送信する際に、他のＩＤカードからもデータが送信されている場合には、ＩＤカード１０３ａのＬＣＤ表示部１４０には、図１６（ｌ）に示すように、「ただ今、混信中で送信できません。」と表示される。
【０１４６】
また、画像形成装置１０４との通信が不可能な場合には、図１６（ｍ）に示すように、ＩＤカード１０３ａのＬＣＤ表示部１４０に「画像形成装置に電源が入っていないか通信圏外です。」と表示される。また、画像形成装置１０４から送信される画像形成装置１０４の状態に応じて、画像形成装置が紙づまりで停止している場合には、図１６（ｎ）に示すように、「画像形成装置が紙づまりで停止中です。」と表示される。画像形成装置が異常停止している場合には、「画像形成装置で異常が発生し、プリントできません。」と表示される。
【０１４７】
次に、図１８を参照して、第３の実施の形態のＩＤカード１０３ａにおける処理について説明する。
まず、ＩＤカード１０３ａの電源がＯＦＦの状態で、生体情報読取装置１３６から生体情報が入力され、認証が行われることにより（ステップＣ１；ＹＥＳ）、電源が起動される（ステップＣ２）。電源起動とともに、ブザー１４２からブザー音が出力される。
【０１４８】
ここで、生体認証処理１について詳細に説明する。図１９に示すように、生体情報読取装置１３６から生体情報が入力され（ステップＤ１）、生体情報読取装置１３６により読み取られた生体情報に基づいて生体パターン（比較パターン）が作成される（ステップＤ２）。次に、予め生体情報データ記憶装置１３７に記憶されている本人の生体パターン（基準パターン）が読み出され（ステップＤ３）、比較パターンと基準パターンとの照合が行われる（ステップＤ４）。比較パターンと基準パターンとが一致した場合には（ステップＤ４；ＹＥＳ）、本人認証が成功する（ステップＤ５）。比較パターンと基準パターンとが一致しなかった場合には（ステップＤ４；ＮＯ）、本人認証を無効として処理を終了する（ステップＤ６）。
【０１４９】
再び、図１８を参照して、ＩＤカード１０３ａにおける処理を説明する。この処理フローには、電源の節約のために、所定時間（例えば５分）の待機処理（ステップＣ３，Ｃ５）が設定されている。ＩＤカード１０３ａの電源が起動された後、５分間経過せずに（ステップＣ３；ＮＯ）、生体情報読取装置１３６から生体情報が入力され、認証が行われ（ステップＣ４；ＹＥＳ）、再度５分間経過せずに（ステップＣ５；ＮＯ）、生体情報読取装置１３６から２秒以上生体情報が入力された場合には（ステップＣ６；ＹＥＳ）、画像形成装置１０４にプリント開始指示が送信される（ステップＣ７）。なお、ステップＣ３、又はステップＣ５において、操作ＳＷ１４５又は生体情報読取装置１３６への入力がない状態で５分間経過した場合には（ステップＣ３；ＹＥＳ，ステップＣ５；ＹＥＳ）、電源が切られ（ステップＣ２１）、処理が終了する。なお、所定時間の値を１分単位で任意に設定できるようにしてもよい。
【０１５０】
画像形成装置１０４にプリント開始指示が送信された後（ステップＣ７）、画像形成装置１０４に画像形成装置１０４の状態要求が送信され（ステップＣ８）、画像形成装置１０４から画像形成装置１０４の状態データが受信される（ステップＣ９）。そして、画像形成装置１０４のプリント動作が終了していない場合には（ステップＣ１０；ＮＯ）、ＬＣＤ表示部１４０に画像形成装置１０４の出力状態を示す情報が表示される（ステップＣ１１）。画像形成装置１０４のプリント動作が終了した場合には（ステップＣ１０；ＹＥＳ）、ブザー１４２から「ピーッ」というブザー音が５秒間出力され、ＬＣＤ表示部１４０に出力完了を示す情報が３０秒間表示される（ステップＣ１２）。そして、ステップＣ３に戻る。
【０１５１】
ステップＣ６において、生体情報読取装置１３６から２秒以上生体情報が入力されなかった場合には（ステップＣ６；ＮＯ）、操作ＳＷ１４５が押下されたか否かが判断される（ステップＣ１３）。操作ＳＷ１４５が押下された場合には（ステップＣ１３；ＹＥＳ）、画像形成装置１０４にジョブリスト要求が送信され（ステップＣ１４）、画像形成装置１０４からジョブリストデータが受信される（ステップＣ１５）。そして、ＬＣＤ表示部１４０に画像形成装置１０４のジョブリストが表示される（ステップＣ１６）。ここで、再び操作ＳＷ１４５が押下されるまで（ステップＣ１７；ＹＥＳ）、ステップＣ１４〜Ｃ１６の処理が繰り返される。再び操作ＳＷ１４５が押下された場合（ステップＣ１７；ＹＥＳ）、又はステップＣ１３において操作ＳＷ１４５が押下されなかった場合には（ステップＣ１３；ＮＯ）、ステップＣ３に戻る。
【０１５２】
ステップＣ４において、生体情報読取装置１３６から生体情報が入力されなかった場合には（ステップＣ４；ＮＯ）、画像形成装置１０４に画像形成装置１０４の状態要求が送信され（ステップＣ１８）、画像形成装置１０４から画像形成装置１０４の状態データが受信される（ステップＣ１９）。そして、ＬＣＤ表示部１４０に画像形成装置１０４の状態を示す情報が表示され（ステップＣ２０）、ステップＣ３に戻る。
【０１５３】
第３の実施の形態における画像出力システムによれば、ＩＤカード１０３ａは、生体情報読取装置１３６から生体情報が２秒間入力されることにより、ＩＤ情報を発信するので、ユーザの希望に応じてＩＤ情報を発信することができる。また、生体情報に基づいて、本人であることが確認された場合に、ＩＤ情報を発信するので、本人以外の者が不正に使用することを防止することができる。
【０１５４】
また、ＩＤカード１０３ａは、ＩＤ情報の発信状態を示す情報や画像形成装置１０４における記録データの出力状態を示す情報を表示し、ユーザに通知することができる。したがって、ユーザはＩＤ情報の発信状態や画像形成装置１０４における記録データの出力状態を認識することができる。
【０１５５】
なお、ＩＤカード１０３ａがスピーカ等の音声発生手段を備えている場合には、ＩＤ情報の発信状態を示す情報や画像形成装置１０４における記録データの出力状態を示す情報を音声により通知することとしてもよい。ＩＤカード１０３ａにおけるＩＤ情報の発信状態を示す情報として、例えば、「ＩＤ情報を送信中です。」、「ただ今、送信できません。」等が音声により通知される。また、画像形成装置１０４における記録データの出力状態を示す情報として、例えば、「プリント中です。」、「プリント待ちです。」、「プリント完了しました。」等が音声により通知される。
【０１５６】
また、生体情報に基づいて本人の認証を行う際に、複数の生体情報を用いることとしてもよい。図２０を参照して、複数の生体情報を用いた生体認証処理２について説明する。
【０１５７】
図２０に示すように、まず、操作ＳＷ１４５が押下された状態で、マイクロホン１４４から本人の音声が入力され（ステップＥ１）、入力された音声情報に基づいて声紋パターン（比較パターン１）が作成される（ステップＥ２）。次に、予め生体情報データ記憶装置１３７に記憶されている本人の声紋パターン（基準パターン１）が読み出され（ステップＥ３）、比較パターン１と基準パターン２との照合が行われる（ステップＥ４）。
【０１５８】
比較パターン１と基準パターン１とが一致した場合には（ステップＥ４；ＹＥＳ）、生体情報読取装置１３６から指紋情報が入力され（ステップＥ５）、生体情報読取装置１３６により読み取られた指紋情報に基づいて指紋パターン（比較パターン２）が作成される（ステップＥ６）。次に、予め生体情報データ記憶装置１３７に記憶されている本人の指紋パターン（基準パターン２）が読み出され（ステップＥ７）、比較パターン２と基準パターン２との照合が行われる（ステップＥ８）。比較パターン２と基準パターン２とが一致した場合には（ステップＥ８；ＹＥＳ）、本人認証が成功する（ステップＥ９）。比較パターン１と基準パターン１とが一致しなかった場合（ステップＥ４；ＮＯ）、又は比較パターン２と基準パターン２とが一致しなかった場合には（ステップＥ８；ＮＯ）、本人認証を無効として処理を終了する（ステップＥ１０）。複数の生体情報を組み合わせることにより、より正確な本人認証を行うことが可能となる。
【０１５９】
また、ＩＤカード１０３ａと画像形成装置１０４とのデータ通信において、ＩｒＤＡ方式を用いることとしてもよい。この場合、ＩＤカード１０３ａは、図１３に示す無線データ発信回路１３２、無線データ受信回路１３３に代えて、図２１に示すように、ＩｒＤＡ送信回路１７１、赤外線発光ＬＥＤ１７２、ＩｒＤＡ受信回路１７３、フォトトランジスタ１７４を備える。他の構成部分については、図１３に示したＩＤカード１０３ａと同様であるので、同一の符号を付し、説明を省略する。ＩｒＤＡ送信回路１７１は、赤外線発光ＬＥＤ１７２を駆動し、赤外線を発光することにより、データを送信する。ＩｒＤＡ受信回路１７３は、フォトトランジスタ１７４で赤外線を受光することにより、データを受信する。画像形成装置１０４においても同様に、図１４に示した無線データ受信回路１５７、無線データ発信回路１５８に代えて、図２２に示すように、ＩｒＤＡ受信回路１７５、フォトトランジスタ１７６、ＩｒＤＡ送信回路１７７、赤外線発光ＬＥＤ１７８を備える。他の構成部分については、図１４に示した画像形成装置１０４と同様であるので、同一の符号を付し、説明を省略する。ＩｒＤＡ受信回路１７５は、フォトトランジスタ１７６で赤外線を受光することにより、データを受信する。ＩｒＤＡ送信回路１７７は、赤外線発光ＬＥＤ１７８を駆動し、赤外線を発光することにより、データを送信する。
【０１６０】
また、第３の実施の形態においては、生体情報読取装置１３６から生体情報を２秒間入力することにより、ＩＤカード１０３ａからＩＤ情報が発信されることとしたが、操作ＳＷ１４５からＩＤ情報発信指示を入力することとしてもよい。この場合にも、ユーザの希望に応じてＩＤ情報を発信することができる。
【０１６１】
また、第３の実施の形態においては、ＬＣＤ表示部１４０における表示やブザー１４２によるブザー音やスピーカによる音声によって、生体認証結果、ＩＤカード１０３ａの発信状態、画像形成装置１０４の出力状態を通知することとしたが、ＩＤカード１０３ａがバイブレーション機能を備え、振動することにより、生体認証結果、ＩＤカード１０３ａの発信状態、画像形成装置１０４の出力状態を通知することとしてもよい。
【０１６２】
また、ＩＤカード１０３ａにおいて、プリント出力中のジョブの進行状況を示す出力完了時間の表示に代えて、プリントが完了するまでの残り時間を表示することとしてもよい。
【０１６３】
＜変形例＞
図２３及び図２４を参照して、第３の実施の形態の変形例について説明する。
図２３に、変形例の画像形成システムにおけるＩＤカード２０３ａの外観構成を示す。図２３に示すように、ＩＤカード２０３ａの表面には、所有者の顔写真や氏名等が印刷されており、また、状態表示用ＬＥＤ１４７ａ，１４７ｂ，１４７ｃ、操作ＳＷ１４５、生体情報読取装置１３６、マイクロホン１４４が設けられている。
【０１６４】
図２４に、ＩＤカード２０３ａの機能構成を示す。図２４に示すように、ＩＤカード２０３ａは、ＣＰＵ１３１、無線データ発信回路１３２、無線データ受信回路１３３、ＲＯＭ１３４、メモリ装置１３５、生体情報読取装置１３６、生体情報データ記憶装置１３７、状態表示用ＬＥＤ１４７ａ，１４７ｂ，１４７ｃ、オーディオ出力ＡＭＰ１４１、ブザー１４２、音声入力ＡＭＰ１４３、マイクロホン１４４、操作ＳＷ１４５、外部Ｉ／Ｆ回路１４６、ＤＳＰ１４９を備える。
【０１６５】
必要最低限の機能にした場合には、オーディオ出力ＡＭＰ１４１、ブザー１４２、音声入力ＡＭＰ１４３、マイクロホン１４４を含まない構成としてもよく、さらに、ＩＤカード２０３ａの無線通信機能を利用してＩＤカード２０３ａに記憶されるデータを書き替える場合には、外部Ｉ／Ｆ回路１４６を含まない構成としてもよい。
【０１６６】
変形例においては、変形例に特有の部分以外は第３の実施の形態の画像形成システムと同様であるので、同一の構成部分については同一の符号を付し、説明を省略する。
【０１６７】
第３の実施の形態のＩＤカード１０３ａは、ＬＣＤ表示部１４０を備え、ＬＣＤ表示部１４０に生体認証結果や画像形成装置１０４の出力状態を示す情報を表示することとしたが、変形例のＩＤカード２０３ａは、状態表示用ＬＥＤ１４７ａ，１４７ｂ，１４７ｃを点灯又は点滅させることにより、生体認証結果や画像形成装置１０４の出力状態等を表示する。
【０１６８】
状態表示用ＬＥＤ１４７ａは、画像形成装置１０４にＩＤカード２０３ａの所有者のＩＤ情報が付加されたプリントジョブがある場合に点灯し、ジョブが終了した場合に消灯する。
【０１６９】
状態表示用ＬＥＤ１４７ｂは、画像形成装置１０４がプリント出力中の場合には点滅し、出力が完了した場合には３０秒間点灯する。画像形成装置１０４におけるプリント出力中のジョブの出力が進行するに従って、状態表示用ＬＥＤ１４７ｂが点滅する時間間隔が短くなることとしてもよい。
【０１７０】
状態表示用ＬＥＤ１４７ｃは、生体情報読取装置１３６により生体情報が読み取られ、認証が行われた場合に点灯する。
【０１７１】
変形例のＩＤカード２０３ａにおいても、生体認証結果や画像形成装置１０４の出力状態等をユーザに通知することができる。
【０１７２】
［第４の実施の形態］
次に、本発明を適用した第４の実施の形態について説明する。
第４の実施の形態における画像出力システムは、発信装置として、第３の実施の形態のＩＤカード１０３ａに代えて、無線通信機能を装備した（又は、オプションで装備可能な）ＰＤＡ（Personal Digital Assistant：個人用携帯情報端末）３０３ａを用いることを可能に構成したものである。その他の構成は第３の実施の形態と同様であるので、同一の構成部分については同一の符号を付し、図示及び説明を省略する。以下、第４の実施の形態に特徴的な構成について説明する。
【０１７３】
図２５（ａ）に、ＰＤＡ３０３ａの外観構成を示す。図２５（ａ）に示すように、ＰＤＡ３０３ａは、ＬＣＤ表示部１４０、操作ＳＷ１４５、生体情報読取装置１３６、マイクロホン１４４を備える。また、ＬＣＤ表示部１４０の表示画面上を覆うようにタッチパネルが設けられている。ＰＤＡ３０３ａの機能構成については、図１３に示したＩＤカード１０３ａの機能構成と同様であるので、同一の構成部分については同一の符号を付し、図示及び説明を省略する。マイクロホン１４４から入力される音声に基づいて、声紋認証を行うこととしてもよい。
【０１７４】
また、図２５（ｂ）に示すように、顔認証又は網膜認証のためのカメラ１４８を備えたＰＤＡ４０３ａを用いることとしてもよい。ＰＤＡ４０３ａ本体が生体情報を読み取るための装置を備えていない場合には、別体の生体情報読取装置１３６をＵＳＢ又はＳＤ  Ｉ／Ｏモジュールにより接続することとしてもよい。
【０１７５】
生体情報として指紋を用いる場合には、生体情報読取装置１３６は、半導体電極に接触した指の抵抗値変化、又は、指を押し付けたときに生じる山と谷における電荷の差に基づいて、所有者の指の指紋のパターンを読み取る。
【０１７６】
生体情報として顔の特徴点を用いる場合には、生体情報読取装置１３６は、目鼻や眉等の顔のパーツの特徴点を抽出し、特徴点の相対位置関係を定量化して顔のパターンを読み取る。
【０１７７】
生体情報として網膜を用いる場合には、生体情報読取装置１３６は、目の網膜にある毛細血管のパターンを読み取る。生体情報として虹彩を用いる場合には、虹彩の模様パターンを読み取る。
【０１７８】
生体情報として指、手のひら又は手の甲の静脈を用いる場合には、生体情報読取装置１３６は、対象となる部位に対して近赤外線照射用ＬＥＤを照射し、透過光量をＣＣＤ（Charge Coupled Device）で読み取り、画像処理を施して静脈パターンを抽出する。
【０１７９】
図２６（ａ）に、ＰＤＡ３０３ａのＬＣＤ表示部１４０における表示例を示す。生体情報読取装置１３６が指紋認証用の生体情報読取装置の場合、生体情報読取装置１３６によりＰＤＡ３０３ａの所有者の指紋が読み取られ、認証が行われると、図２６（ａ）に示すように、生体情報読取装置１３６により読み取られた指紋の画像と、「＊＊＊＊＊さんを認証しました。」という認証結果が表示される。
【０１８０】
図２６（ｂ）に、ＰＤＡ４０３ａのＬＣＤ表示部１４０における顔認証の表示例を示す。カメラ１４８によりＰＤＡ４０３ａの所有者の顔が撮影され、顔認証が行われると、図２６（ｂ）に示すように、カメラ１４８により撮影された顔画像と、「＊＊＊＊＊さんを認証しました。」という認証結果が表示される。
【０１８１】
図２７（ａ）、図２７（ｂ）に、ＰＤＡ３０３ａのＬＣＤ表示部１４０に表示される画像形成装置１０４のプリントジョブリストの例を示す。図２７（ａ）は、画像形成装置１０４において出力されるプリントジョブ全体のリスト、図２７（ｂ）は、画像形成装置１０４において出力されるＰＤＡ３０３ａの所有者のプリントジョブのリストを示している。図２７（ａ）、図２７（ｂ）に示すように、各ジョブのジョブ番号、ファイル形式、枚数、出力状態、出力先のトレイ等が表示される。なお、ジョブ番号の横に記されている「＊」は、ＩＤ情報が付加されている記録データであることを示す。ＰＤＡ３０３ａの操作ＳＷ１４５又はＬＣＤ表示部１４０のタッチパネル上から指示することにより、プリントジョブ全体のリスト表示とＰＤＡ３０３ａの所有者のプリントジョブのリスト表示とを切り替え可能とすることとしてもよい。
【０１８２】
第４の実施の形態における画像出力システムにおいては、発信装置として、ＰＤＡ３０３ａを用いることにより、生体認証結果や画像形成装置１０４の出力状態について、より詳細な表示を行うことができる。
【０１８３】
なお、第４の実施の形態においては、発信装置としてＰＤＡを用いた場合について説明したが、携帯電話機、無線通信機能を備えた携帯ＰＣを用いることとしてもよい。ＰＤＡ、携帯電話機、携帯ＰＣを用いることにより、ＩＤカード型の発信装置では実現することが困難であった、顔、網膜、虹彩、静脈等を読み取る生体情報読取装置１３６を備えることができる。
【０１８４】
なお、上記各実施の形態における記述は、本発明に係る好適な画像出力システムの例であり、これに限定されるものではない。画像出力システムを構成する各装置の細部構成及び細部動作に関しても本発明の趣旨を逸脱することのない範囲で適宜変更可能である。
【図面の簡単な説明】
【０１８５】
【図１】本発明の第１の実施の形態における画像出力システム１のシステム体系を示す概略図である。
【図２】ＩＤカード３ａの機能構成を示すブロック図である。
【図３】画像形成装置４の機能構成を示すブロック図である。
【図４】（ａ）は記録データのデータ構造を示す図である。（ｂ）は画像データ記憶装置４８内のデータ格納領域を示す図である。
【図５】記録データ記憶処理を示すフローチャートである。
【図６】ＩＤ情報発信処理を示すフローチャートである。
【図７】ＩＤ情報受信処理を示すフローチャートである。
【図８】ＩＤ判別処理１を示すフローチャートである。
【図９】ＩｒＤＡ方式で通信を行う場合のＩＤカード３ａの機能構成を示すブロック図である。
【図１０】ＩｒＤＡ方式で通信を行う場合の画像形成装置４の機能構成を示すブロック図である。
【図１１】第２の実施の形態におけるＩＤ判別処理２を示すフローチャートである。
【図１２】第３の実施の形態におけるＩＤカード１０３ａの外観構成図である。
【図１３】ＩＤカード１０３ａの機能構成を示すブロック図である。
【図１４】画像形成装置１０４の機能構成を示すブロック図である。
【図１５】ＩＤカード１０３ａにおいてジョブリスト表示及びプリント開始指示動作を実行する際のＩＤカード１０３ａと画像形成装置１０４における処理の概要を示すはしご図である。
【図１６】ＩＤカード１０３ａのＬＣＤ表示部１４０における表示例である。
【図１７】複数のＰＣ２ａ，２ｂから画像形成装置１０４へ記録データが送信された場合の動作の概要を示すはしご図である。
【図１８】第３の実施の形態のＩＤカード１０３ａにおける処理を示すフローチャートである。
【図１９】ＩＤカード１０３ａにおける生体認証処理１を示すフローチャートである。
【図２０】複数の生体情報を用いた生体認証処理２を示すフローチャートである。
【図２１】ＩｒＤＡ方式で通信を行う場合のＩＤカード１０３ａの機能構成を示すブロック図である。
【図２２】ＩｒＤＡ方式で通信を行う場合の画像形成装置１０４の機能構成を示すブロック図である。
【図２３】第３の実施の形態の変形例におけるＩＤカード２０３ａの外観構成図である。
【図２４】ＩＤカード２０３ａの機能構成を示すブロック図である。
【図２５】（ａ）は、第４の実施の形態におけるＰＤＡ３０３ａの外観構成図である。（ｂ）は、第４の実施の形態におけるＰＤＡ４０３ａの外観構成図である。
【図２６】（ａ）は、ＰＤＡ３０３ａのＬＣＤ表示部１４０における表示例である。（ｂ）は、ＰＤＡ４０３ａのＬＣＤ表示部１４０における表示例である。
【図２７】（ａ）は、画像形成装置１０４において出力されるプリントジョブ全体のリストの表示例である。（ｂ）は、画像形成装置１０４において出力されるＰＤＡ３０３ａの所有者のプリントジョブのリストの表示例である。
【符号の説明】
【０１８６】
１  画像出力システム
２ａ，２ｂ，２ｃ  ＰＣ（ネットワーク端末）
３ａ，３ｂ，３ｃ  ＩＤカード（発信装置）
３１  ＣＰＵ
３２  ＲＯＭ
３３  メモリ装置
３４  生体情報読取装置
３５  ＩＤ情報発信回路
３６  発信状態表示手段
４  画像形成装置
４１，４３  ＣＰＵ
４２，４４  ＲＯＭ
４５  ＩＤ情報受信回路
４６  データＩ／Ｆ制御回路
４７  メモリ書込制御回路
４８  画像データ記憶装置
４９  メモリ読み出し制御回路
５０  画像展開／処理回路
５１  ページメモリ
５２  印字領域制御回路
５３  ＬＤ駆動回路
５４  表示手段
５５  排紙トレイ装置
５６  各駆動負荷
５７  各センサ
５８  ＲＡＭ
１０３ａ  ＩＤカード（発信装置）
１３１  ＣＰＵ
１３２  無線データ発信回路
１３３  無線データ受信回路
１３４  ＲＯＭ
１３５  メモリ装置
１３６  生体情報読取装置
１３７  生体情報データ記憶装置
１３８  表示データメモリ
１３９  ＬＣＤドライバ
１４０  ＬＣＤ表示部
１４１  オーディオ出力ＡＭＰ
１４２  ブザー
１４３  音声入力ＡＭＰ
１４４  マイクロホン
１４５  操作ＳＷ
１４６  外部Ｉ／Ｆ回路
１４６ａ  Ｉ／Ｆコネクタ
１４９  ＤＳＰ
１０４  画像形成装置
１５１  ＬＡＮ  Ｉ／Ｆ回路
１５２  ＵＳＢ  Ｉ／Ｆ回路
１５３  原稿読取装置
１５４  ＦＡＸ装置
１５５  モデム
１５６  データ入力制御回路
１５７  無線データ受信回路
１５８  無線データ発信回路
１５９  無線電話通信モジュール
１６０  メモリ書込制御回路
１６１  画像データ記憶装置
１６２  メモリ読み出し制御回路
２０３ａ  ＩＤカード（発信装置）
１４７ａ，１４７ｂ，１４７ｃ  状態表示用ＬＥＤ
３０３ａ  ＰＤＡ（発信装置）
４０３ａ  ＰＤＡ（発信装置）
１４８  カメラ
【図１】
2005322182.tif 000003
【図２】
2005322182.tif 000004
【図３】
2005322182.tif 000005
【図４】
2005322182.tif 000006
【図５】
2005322182.tif 000007
【図６】
2005322182.tif 000008
【図７】
2005322182.tif 000009
【図８】
2005322182.tif 000010
【図９】
2005322182.tif 000011
【図１０】
2005322182.tif 000012
【図１１】
2005322182.tif 000013
【図１２】
2005322182.tif 000014
【図１３】
2005322182.tif 000015
【図１４】
2005322182.tif 000016
【図１５】
2005322182.tif 000017
【図１６】
2005322182.tif 000018
【図１７】
2005322182.tif 000019
【図１８】
2005322182.tif 000020
【図１９】
2005322182.tif 000021
【図２０】
2005322182.tif 000022
【図２１】
2005322182.tif 000023
【図２２】
2005322182.tif 000024
【図２３】
2005322182.tif 000025
【図２４】
2005322182.tif 000026
【図２５】
2005322182.tif 000027
【図２６】
2005322182.tif 000028
【図２７】
2005322182.tif 000029